【手続補正書】
【提出日】平成23年10月6日(2011.10.6)
【手続補正１】
【補正対象書類名】明細書
【補正対象項目名】００４２
【補正方法】変更
【補正の内容】
【００４２】
一つのＡＣＫ／ＮＡＣＫ信号がＩチャネルとＱチャネルにそれぞれマッピングされた後、複素（complex）値に変調されたシンボルが４の拡散率で拡散されてＣＤＭマルチプレクシングされる場合、ＣＤＭグループ当たり８個のＡＣＫ／ＮＡＣＫ情報を伝送することができる。しかし、２の拡散率で拡散される場合は、ＣＤＭグループ当たり４個のＡＣＫ／ＮＡＣＫ情報を伝送するようになる。このように、拡散率によって各ＣＤＭグループで伝送可能なＡＣＫ／ＮＡＣＫ情報の個数が異なってくるので、一定のＡＣＫ／ＮＡＣＫ信号を伝送する場合であっても、拡散率によって必要なＣＤＭグループの個数が変更されることがである。例えば、伝送すべきＡＣＫ／ＮＡＣＫの個数が１２個であるとすれば、４の拡散率の場合、必要なＣＤＭグループの個数はｃｅｉｌ(１２／８)＝２個となるが、２の拡散率の場合は、ｃｅｉｌ(１２／４)＝３個となる。ここで、「ｃｅｉｌ」は天井演算（ceiling operation）を意味する。
【手続補正２】
【補正対象書類名】特許請求の範囲
【補正対象項目名】全文
【補正方法】変更
【補正の内容】
【特許請求の範囲】
【請求項１】
無線通信システムにおいて、送信端が拡散信号を送信する方法であって、
OFDMシンボル内の巡回プリフィクスの長さに従い、複数の拡散率を有する拡散コードセットの中から１つの拡散率の拡散コードを選択するステップと、
前記拡散率の前記拡散コードを用いて、複数の信号を拡散するステップと、
前記拡散された複数の信号を１以上のPHICHグループに多重化するステップと、
前記１以上のPHICHグループを、前記OFDMシンボルで構成された１以上の伝送構造を介して、受信端に送信するステップと、
を有し、
前記OFDMシンボルが拡張巡回プリフィクスを有する時のPHICHグループの数は、前記OFDMシンボルが正常巡回プリフィクスを有する時のPHICHグループの数の倍数として決定される、方法。
【請求項２】
前記伝送構造は、Ｌ個の隣接した副搬送波を含み、Ｌは正の整数である、請求項１に記載の方法。
【請求項３】
前記OFDMシンボルが前記正常巡回プリフィクスを有する時の前記拡散率は、前記伝送構造内の副搬送波の数と等しい、請求項２に記載の方法。
【請求項４】
前記伝送構造内の副搬送波の数は４である、請求項３に記載の方法。
【請求項５】
前記OFDMシンボルが前記正常巡回プリフィクスを有する場合、拡散率４の前記拡散コードが選択され、前記OFDMシンボルが前記拡張巡回プリフィクスを有する場合、拡散率２の前記拡散コードが選択される、請求項１に記載の方法。
【請求項６】
PHICHグループの数と前記拡散率の積は、常に一定である、請求項１に記載の方法。
【請求項７】
前記OFDMシンボルが前記拡張巡回プリフィクスを有する時のPHICHグループの数（GM）は、
GM=GN＊(N／M)
により決定され、
Ｎは、前記OFDMシンボルが前記正常巡回プリフィクスを有する時の拡散率を表し、Ｍは、前記OFDMシンボルが前記拡張巡回プリフィクスを有する時の拡散率を表し、GNは、前記OFDMシンボルが前記正常巡回プリフィクスを有する時のPHICHグループの数を表す、請求項１に記載の方法。
【請求項８】
前記OFDMシンボルが前記拡張巡回プリフィクスを有する時のPHICHグループの数（GM）は、
GM=GN＊ceil(N／M)
により決定され、
Ｎは、前記OFDMシンボルが前記正常巡回プリフィクスを有する時の拡散率を表し、Ｍは、前記OFDMシンボルが前記拡張巡回プリフィクスを有する時の拡散率を表し、GNは、前記OFDMシンボルが前記正常巡回プリフィクスを有する時のPHICHグループの数を表し、ceil(・)は天井関数を表す、請求項１に記載の方法。
【請求項９】
前記１以上のPHICHグループが、１つ以上のOFDMシンボル内で、総計３回繰返し送信される、請求項１に記載の方法。
【請求項１０】
前記１以上のPHICHグループが、マルチアンテナを介して送信される、請求項１に記載の方法。
【請求項１１】
前記１以上のPHICHグループが、複数のアンテナペアを介して送信され、ＳＦＢＣが同一のアンテナペアに適用され、ＦＳＴＤが異なるアンテナペア間に適用される、請求項１０に記載の方法。
【請求項１２】
拡散率２の前記拡散コードが選択された時のPHICHグループの数は、拡散率４の前記拡散コードが選択された時のPHICHグループの数の２倍である、請求項１に記載の方法。
【請求項１３】
前記OFDMシンボルが前記拡張巡回プリフィクスを有する時のPHICHグループの数は、前記OFDMシンボルが前記正常巡回プリフィクスを有する時のPHICHグループの数の２倍である、請求項５に記載の方法。
【請求項１４】
無線通信システムにおいて、受信端が拡散信号を受信する方法であって、
１以上のPHICHグループを、OFDMシンボルで構成された１以上の伝送構造を介して、送信端から受信するステップと、
PHICHグループの数を用いて、前記受信端を指定した拡散信号を識別するためのPHICHグループインデックス及び拡散コードインデックスを決定するステップと、
を有し、
各PHICHグループは、多重化した拡散信号を伝達し、前記拡散信号は、前記OFDMシンボル内の巡回プリフィクスの長さに従い、複数の拡散率を有する拡散コードセットから選択された拡散率の拡散コードを用いて生成され、
前記OFDMシンボルが拡張巡回プリフィクスを有する時のPHICHグループの数は、前記OFDMシンボルが正常巡回プリフィクスを有する時のPHICHグループの数の倍数として決定される、方法。
【請求項１５】
前記伝送構造は、Ｌ個の隣接した副搬送波を含み、Ｌは正の整数である、請求項１４に記載の方法。
【請求項１６】
前記OFDMシンボルが前記正常巡回プリフィクスを有する時の前記拡散率は、前記伝送構造内の副搬送波の数と等しい、請求項１５に記載の方法。
【請求項１７】
前記伝送構造内の副搬送波の数は４である、請求項１６に記載の方法。
【請求項１８】
前記OFDMシンボルが前記正常巡回プリフィクスを有する場合、拡散率４の前記拡散コードが選択され、前記OFDMシンボルが前記拡張巡回プリフィクスを有する場合、拡散率２の前記拡散コードが選択される、請求項１４に記載の方法。
【請求項１９】
前記OFDMシンボルが前記拡張巡回プリフィクスを有する時のPHICHグループの数は、前記OFDMシンボルが前記正常巡回プリフィクスを有する時のPHICHグループの数の２倍である、請求項１８に記載の方法。
【請求項２０】
PHICHグループの数と前記拡散率の積は、常に一定である、請求項１４に記載の方法。
【請求項２１】
前記OFDMシンボルが前記拡張巡回プリフィクスを有する時のPHICHグループの数（GM）は、
GM=GN＊(N／M)
により決定され、
Ｎは、前記OFDMシンボルが前記正常巡回プリフィクスを有する時の拡散率を表し、Ｍは、前記OFDMシンボルが前記拡張巡回プリフィクスを有する時の拡散率を表し、GNは、前記OFDMシンボルが前記正常巡回プリフィクスを有する時のPHICHグループの数を表す、請求項１４に記載の方法。
【請求項２２】
前記OFDMシンボルが前記拡張巡回プリフィクスを有する時のPHICHグループの数（GM）は、
GM=GN＊ceil(N／M)
により決定され、
Ｎは、前記OFDMシンボルが前記正常巡回プリフィクスを有する時の拡散率を表し、Ｍは、前記OFDMシンボルが前記拡張巡回プリフィクスを有する時の拡散率を表し、GNは、前記OFDMシンボルが前記正常巡回プリフィクスを有する時のPHICHグループの数を表し、ceil(・)は天井関数を表す、請求項１４に記載の方法。
【請求項２３】
前記１以上のPHICHグループが、１つ以上のOFDMシンボル内で、総計３回繰返し送信される、請求項１４に記載の方法。
【請求項２４】
前記１以上のPHICHグループが、マルチアンテナを介して送信される、請求項１４に記載の方法。
【請求項２５】
前記１以上のPHICHグループが、複数のアンテナペアを介して送信され、ＳＦＢＣが同一のアンテナペアに適用され、ＦＳＴＤが異なるアンテナペア間に適用される、請求項１４に記載の方法。
【請求項２６】
拡散率２の前記拡散コードが選択された時のPHICHグループの数は、拡散率４の前記拡散コードが選択された時のPHICHグループの数の２倍である、請求項１４に記載の方法。